(57)【要約】【課題】簡便に被介護者を浴槽内に入れることができ、介護者の負担を軽減することができるとともに、被介護者の入浴後に、介護者や付添人も入浴することのできる入浴者用運搬車を用いた入浴方法及びその装置を提供すること。【解決手段】入浴者（被介護者）を乗せるためのベッド４を有する運搬車３を浴槽２上部に移動するとともにベッド４を浴槽２の側壁上に載置し、その後、ベッド４のシート部４ａを浴槽２内の適宜位置まで昇降させる。【選択図】  図１
2005087221.tif 000002
【特許請求の範囲】
【請求項１】
入浴者を乗せるためのベッドを有する運搬車を浴槽上部に移動するとともにベッドを浴槽の側壁上に載置し、その後、ベッドのシート部分を浴槽内の適宜位置まで昇降させることを特徴とする入浴者用運搬車を用いた入浴方法。
【請求項２】
入浴者を乗せるためのベッドを有する運搬車を浴槽上部に移動し、浴槽と運搬車を相対的に昇降せしめて浴槽の側壁上にベッドを載置し、その後、ベッドのシート部分を浴槽内の適宜位置まで昇降させることを特徴とする入浴者用運搬車を用いた入浴方法。
【請求項３】
入浴者を乗せるためのベッドと該ベッドを載置した運搬車からなり、前記ベッドには、ベッドが浴槽の側壁上面に着座する着座機構と浴槽内にベッドのシート部分を昇降させる昇降機構とを備えたことを特徴とする入浴者用運搬車を用いた入浴装置。
【請求項４】
入浴者を乗せるためのベッドと該ベッドを載置した運搬車からなり、前記ベッドに、浴槽内にベッドのシート部分を昇降させる昇降機構を配設するとともに、運搬車又は浴槽に、運搬車と浴槽とを相対的に昇降させる昇降機構を配設し、ベッドを浴槽の側壁上面に着座させることを特徴とする入浴者用運搬車を用いた入浴装置。
【発明の詳細な説明】
【０００１】
【発明の属する技術分野】
本発明は、被介護者の入浴方法及びその装置に関するもので、特に、被介護者を適切な位置で入浴させることができ介護者の負担を軽減することのできる入浴者用運搬車を用いた入浴方法及びその装置に関するものである。
【０００２】
【従来の技術】
従来の被介護者の入浴方法としては、昇降式介護浴槽を使うものが多く、被介護者を浴槽内に入れるための昇降機構として、リフト等を備え、被介護者を載せるベッドやハンモックを浴槽内に沈め介護者によって被介護者の体の洗浄等を行うようにするものである。
【０００３】
また、浴槽の上面に、浴槽内から延設される昇降機構によって支持される、被介護者を乗せる入浴用担架を配設し、浴槽の底部に浴槽を容易に移動できるようにするための車輪を取り付けてなる介護用入浴装置も提案されている（例えば、特許文献１参照）。
【０００４】
さらに、入浴者を載置可能で下面にキャスターを備えた入浴担架とこの入浴担架を昇降させる昇降手段を備えたストレッチャーと、該ストレッチャーを移動させることによって浴槽上面に入浴担架を位置させ、前記昇降手段によって入浴者を入浴担架に乗せた状態で浴槽内で入浴させることのできる装置等も提案されている（例えば、特許文献２〜４参照）。
【０００５】
【特許文献１】
特開２０００−４２０７８号公報
【特許文献２】
実公平０７−５１０５０号公報
【特許文献３】
登録実用新案第３０３５８９６号公報
【特許文献４】
実開昭６３−１１１１４１号公報
【０００６】
【発明が解決しようとする課題】
上記従来の被介護者の入浴方法は、被介護者を浴槽内に入れる作業に多くの手数や労力を要するとともに、定位置に被介護者を固定するだけのものが多く、介護者は一定の高さ位置で作業を強いられることとなり、腰痛の原因になるなど介護者の負担を増大させることとなっていた。
また、昇降機構を浴槽内に配設するように構成する時は、浴槽が被介護者専用のものとなり、近年、国や地方公共団体の援助などにより被介護者を含む高齢者の保養施設における入浴サービスなどにおいて、被介護者を入浴させた後に介護者や付添人も入浴を希望する場合、施設内の別の浴槽へ移動する必要がある等の問題があった。
【０００７】
本発明は、上記従来の種々の被介護者の入浴方法の有する問題点を解決し、簡便に被介護者を浴槽内に入れることができ、介護者の負担を軽減することができるとともに、被介護者の入浴後に、介護者や付添人も入浴することのできる入浴者用運搬車を用いた入浴方法及びその装置を提供することを目的とする。
【０００８】
【課題を解決するための手段】
上記目的を達成するため、本第１発明の入浴者用運搬車を用いた入浴方法は、入浴者（被介護者。以下同じ。）を乗せるためのベッドを有する運搬車を浴槽上部に移動するとともにベッドを浴槽の側壁上に載置し、その後、ベッドのシート部分を浴槽内の適宜位置まで昇降させることを特徴とする。
【０００９】
上記の構成からなる本第１発明の入浴者用運搬車を用いた入浴方法は、入浴者をベッドに乗せた状態で運搬車を浴槽上部に移動させながら運搬車のベッドを浴槽の両側壁にわたって載置し、その後、ベッドの被介護者が乗るシート部分を浴槽内に昇降するようにしたから被介護者を浴槽内に入れる介護者の負担を大きく低減することができる。
【００１０】
また、同じ目的を達成するため、本第２発明の入浴者用運搬車を用いた入浴方法は、入浴者を乗せるためのベッドを有する運搬車を浴槽上部に移動し、浴槽と運搬車を相対的に昇降せしめて浴槽の側壁上にベッドを載置し、その後、ベッドのシート部分を浴槽内の適宜位置まで昇降させることを特徴とする。
【００１１】
上記の構成からなる本第２発明の入浴者用運搬車を用いた入浴方法は、浴槽と運搬車を相対的に昇降させて運搬車のベッドを浴槽側壁上に載置するから、被介護者を乗せた運搬車を浴槽側方より浴槽上に押し込み、ベッドを浴槽の側壁上面に着座させる場合に比べて被介護者の動揺が少なく、かつ介護者の労力軽減が図れる。また浴槽を適宜位置まで上昇させる時は、被介護者の浴槽内での介護のための浴槽の高さ位置が介護者に好適な高さとなり、介護者の腰への負担を低減することができる。
【００１２】
また、本第１発明の入浴者用運搬車を用いた入浴方法を実施するための入浴装置は、入浴者を乗せるためのベッドと該ベッドを載置した運搬車からなり、前記ベッドには、ベッドが浴槽の側壁上面に着座する着座機構と浴槽内にベッドのシート部分を昇降させる昇降機構とを備えたことを特徴とする。
【００１３】
また、本第２発明の入浴者用運搬車を用いた入浴方法を実施するための入浴装置は、入浴者を乗せるためのベッドと該ベッドを載置した運搬車からなり、前記ベッドに、浴槽内にベッドのシート部分を昇降させる昇降機構を配設するとともに、運搬車又は浴槽に、運搬車と浴槽とを相対的に昇降させる昇降機構を配設し、ベッドを浴槽の側壁上面に着座させることを特徴とする。
【００１４】
【発明の実施の形態】
以下、本発明の入浴者用運搬車を用いた入浴方法及びその装置の実施の形態を図面に基づいて説明する。
【００１５】
図１乃至図４は、第１の発明の入浴者用運搬車を用いた入浴装置の第１実施例を示す。
入浴装置１は、被介護者を乗せるベッド４を備えた運搬車３と浴槽２からなり、運搬車３上に載置したベッド４に被介護者を乗せ移動させるものである。
【００１６】
浴槽２は、介護施設など比較的広い設置面積をもつ部屋に備えるもので、浴槽２に隣接し、図示しない湯わかし用ヒーター、ポンプ、殺菌灯、フィルタ、サブタンク等を備え、一般的なＦＲＰ製、ステンレス製、ホーロー製の他、被介護者に心のゆとりとリラックスした雰囲気を味合わせることのできる木製（檜、杉、桧葉等）が好ましく、木製を採用する時は、浴槽の清掃を簡便化するため、光触媒や酸素触媒等により木表面に殺菌処理を行い、その処理は木本来の性質を損なわないことが望ましい。
【００１７】
運搬車３は、浴槽２での横幅より大なる間隔で対となる横バー３１の後端に運搬車３の移動の際に介護者が持つことのできる取っ手３２を備えるとともに、図例では４本の立脚バー３４（３４ａ，３４ｂ）の下方に移動用のキャスター３５を備えてなる。
各々の立脚バー３４には脚長さを手動で変更できる伸縮装置３６ａを有するように構成する。
この伸縮装置３６ａは立脚バー３４毎に設けられるスクリュージャッキや油圧ジャッキ等が好適である。
左右の立脚バー３４ａ、３４ｂの間隔は浴槽２の横幅より大とし、浴槽２上にベッド４を乗り込めるようにしている。
３３は横バー３１を前面で繋ぐ正面バーを示す。
【００１８】
横バー３１の内側面にはベッド４に取り付けるアーム４１の一端から延設される軸５１の他端が支持されている。図２では軸５１の一部分を浴槽側壁２ａ上への着座部１０としている。
【００１９】
ベッド４の載置箇所となる浴槽２の両側壁２ａには、軸５１の着座部１０の外径とほぼ同一の内径に仕上げた半円弧状の凹部２１を４箇所形成し、運搬車３の進行方向前側の凹部２１の前側２箇所には軸５１が当接して運搬車３の浴槽２上への乗り入れ位置を規定するガイドバー１０ａを立設する。
【００２０】
ベッド４には、固定バー４２をベッド４のシート部分４ａ側面から延設せしめ（図例では１本の固定バー４２がベッド４のシート部分４ａの両側に突き出るようにしている）、アーム４１の軸５１の取付部と逆側に取り付ける。
昇降機構５は、手動による場合、モーター等を利用した自動による場合など、特に限定されるものではないが、図例では手動による場合を示しており、１本の軸５１に固定した昇降バー５２と、当該軸５１の取り付くアーム４１の他端から延設される固定バー４２と当該軸５１とを連接する連接バー５３と、当該固定バー４２と同一面にあるもう１箇所の固定バー４２を連動して動かす連動バー５４とからなる。
【００２１】
軸５１はアーム４１内において適宜手段（例えば巻バネの様なスプリング等）によって図１に示す水平状態を保持するように構成し、昇降バー５２を図３に示す位置まで持ち上げる（昇降バー５２を角度θの範囲内で揺動させる）ことにより連接バー５３、連動バー５４によってベッド４のシート部４ａを浴槽２内に昇降させることができる。
【００２２】
また、図４に示すように昇降バー５２に変えて、軸５１にウォームホイル１１１を連結し、このウォームホイル１１１に噛み合うウォームホイル１１０を手動ハンドル（図示せず）で回転させてベッド４のシート部４ａを昇降するようにしてもよい。
【００２３】
上記構成において、被介護者をベッド４に乗せた状態で浴槽２をまたいで浴槽２の上部に運搬車３を移動させ、浴槽２から立設されたガイドバー１０ａに軸５１が当接するところまで運搬車３を進入させる。
この際、正面バー３３は、浴槽２やガイドバー１０ａに干渉しないよう、若干上向きに角度をもって取り付けるようにする。
【００２４】
次いで、４本の立脚バー３４を１本ずつ手動で縮小し、軸５１を浴槽２の側壁２ａ上面に形成された凹部２１に着座させる。４箇所全部が終わるとベッド４が４箇所において軸５１を介して浴槽２に支持される。
【００２５】
ベッド４が、浴槽２の側壁２ａ上に載置された後、上述した昇降機構５によって被介護者を乗せた状態のままベッド４のシート部分４ａを浴槽２内に昇降させる。出浴に当たって、軸５１を浴槽２の側壁２ａ上面に設けた凹部２１から脱出させるには上述の着座操作の逆の操作を４本の立脚バー３４の各々において行う。
【００２６】
次に、図５は着座機構の別の実施例を示し、運搬車３の横バー３１に浴槽２の側壁２ａ上面に嵌合する溝を有するくら８０を連結し、運搬車３を浴槽２の上部に移動した後、立脚バー３４に備えた運搬車高さ調整機構３６ｂによって同図（ａ）の状態から（ｂ）の状態までベッド４を運搬車３とともに下降させて浴槽２の側壁２ａの上面に着座させるものである。くら８０の内側の前後２箇所に軸５１が突設されている。
【００２７】
この運搬車高さ調整機構３６ｂは、その構成を特に限定されるものではないが、ネジ式のもの他、エアシリンダ・油圧シリンダ等を用いることができる。
また、くら８０の嵌合溝は図５に示す溝構造の他、図８（ｂ）に示すような形状であってもよい。
【００２８】
本実施例の着座機構を採用する場合、図６に示すように、運搬車３の立脚バー３４ａ、３４ｂと横バー３１との接合点３７を回動自在に構成し、また、くら８０及び横バー３１の対向面に角軸８１及び上向きにコ字状とされた受け部材３１ａを突出して配設し、受け部材３１ａに角軸８１を受け・外し自在に載置するようにすれば、接合点３７を中心に図６（ａ）に示す矢印方向に立脚バー３４ａ、３４ｂを回動し、運搬車３を折り畳むようにして浴槽２の下方に位置させ、介護者の浴槽近傍位置での介護作業を快適に行うようにすることができる。
【００２９】
３８は立脚バー３４ａ、３４ｂを回動自在に構成した時の補強用の連杆を示し、支点３９、３９においてピン止め等簡単に取り外せるように構成する。
勿論、立脚バー３４ａ、３４ｂと横バー３１の接合点での回動を通常の運搬状態で十分に固定できる時は連杆３８を取り付ける必要はない。
【００３０】
図７乃至図８は、別の着座機構の例を示し、運搬車３の進行方向前側の軸５１にローラー８５を備え、進行方向後側の軸５１にくら８０ａを配設し、浴槽２の側壁上面２ａのうち、運搬車３が乗り入れてくるところを面取りした角部２ｂを構成する。角部２ｂは面取りの他、図１０に示すような円弧面でもよく、ローラー８５の外径程度によって、浴槽２の側壁上面２ａへの乗り移りが容易である場合には、角部２ｂを構成する必要はない。
図９、１０には着座機構として、前後共ローラー１２ａ，１２ｂとした例を示している。浴槽側壁２ａ上に押し上げられた着座状態では運搬車３の進行方向前側のローラー１２ａは浴槽側壁２ａの位置決め突起１０１に当接し、後側のローラー１２ｂは車輪ストッパ１００で止められるようになっている。
【００３１】
ローラー８５は、図８（ａ）に示すように片フランジ構成で浴槽２の側壁２ａの外側面あるいは内側面にフランジで案内できれば十分であるが、この構成に限られるものではなく、浴槽２の両側壁２ａ上を転動する一対のローラー８５の内、一方を両フランジ付きローラー、他方を無フランジローラー（平ローラー）とし、一方の両フランジローラーだけで浴槽側壁２ａの内・外両側面に案内されるようにしてもよい。
また、くら８０ａも溝状にすることなく、図１２（ｂ）に示すように逆Ｌ字状に構成すればよい。
また、浴槽３の側壁２ａの上面にフランジ付きローラーが転動できるレールを配置してもよい。
【００３２】
上記構成において、運搬車３を浴槽２に向けて押し進ませ、ローラー８５が浴槽２の側壁上面２ａの角部２ｂに乗り上がると進行方向前側のキャスター３５が若干浮上する。
この時、運搬車３はローラー８５と進行方向後側のキャスター３５によって移動することとなる（図７（ｂ）参照）。
【００３３】
その後、くら８０ａが浴槽２の側壁上面２ａに到達した後は、運搬車３の取っ手３２を持ち上げるようにしてローラー８５のみで浴槽２の側壁上面２ａを移行させる（図７（ｃ）参照）。
【００３４】
そして、ベッド４を固定する位置に到達した時、くら８０ａを浴槽２の側壁上面２ａ上に着座させるものである。運搬車３を浴槽２の側方に退避させる場合には、運搬車３の取っ手３２を持ち上げて、くら８０ａを浮上させつつ運搬車３を後退させる。
【００３５】
次に、図１１は浴槽２の側壁上面２ａに傾斜部分２ｃを構成した着座機構の説明図で、運搬車３には、進行方向前側にローラー８５を備え、進行方向後側にくら８０ｂを配設する。くら８０ｂは、着座時に浴槽２の側壁上面２ａに形成した傾斜部分２ｃによる高低差を許容して前側のローラー８５と共に運搬車の上面が略々水平となるように構成する。
その他、ローラー８５、くら８０ｂの形状に関しては前例と同様であり説明を省略する。
【００３６】
上記構成において、運搬車３を浴槽２の傾斜部分２ｃによって低くなった面より進入させる。これにより、ローラー８５は傾斜部分２ｃに抵抗なく乗り移り、進行を続けることにより進行方向前側のキャスター３５がｍだけ浮上する。
【００３７】
その後、ローラー８５が傾斜部分２ｃを越えたところでくら８０ｂが傾斜部分２ｃに接し、さらに少し押して前進させると、すべてのキャスター３５が地上面よりｎだけ浮上した状態で着座状態となる。
【００３８】
次いで、図１２は、第２の発明の入浴者用運搬車を用いた入浴装置の実施例を示す。
【００３９】
この入浴装置６０は、被介護者を乗せるベッド４を備えた運搬車３と浴槽２からなり、運搬車３上に載置したベッド４に被介護者を乗せ移動させるものである点及び、ベッド４のシート部４ａを浴槽２内で昇降させる昇降機構５を有する点は第１の発明の入浴装置１と同様であり、同様の構成については同様の符号を付け説明を省略する。
【００４０】
第２の発明の入浴装置６０には、浴槽２と運搬車３を相対的に昇降させる昇降機構６１を配設する。
昇降機構６１は、特に限定されるものではないが、図例では浴槽２の下面に配設した油圧シリンダやリンク機構等によって構成させるものである。
【００４１】
上記構成において、軸５１が浴槽２の側壁２ａ上面適所（図例では浴槽側壁２ａの上面に形成された凹部２１に一致したところ。本実施例においては浴槽２の側壁上面に凹部２１を設ける必要は必ずしもない。）まで運搬車３を進入させる（図１２（ａ）参照）。
【００４２】
次いで、昇降機構６１を起動させて浴槽２を上昇させて軸５１を浴槽２の側壁２ａに着座させつつ運搬車３の横バー３１内側面に構成した受け部材（図示せず。図６に示す受け部材相当のもの）から離脱させる（図１２（ｂ）参照）。
ベッド４が浴槽側壁２ａに着座した時点で昇降機構６１を一時停止し、上述した昇降機構５によって被介護者を乗せた状態のままベッド４のシート部４ａを浴槽２内に昇降させる。
この際、昇降機構６１によって昇降させる浴槽２の位置は介護者が被介護者に対し介護作業のやりやすい位置まで昇降させることが好ましい。
図示例では浴槽上昇時にベッド４が運搬車３から分離して浴槽側壁２ａ上に支持されるようになっているが、ベッド４と運搬車３が分離しないで一体のままで持ち上げられるようにするものでもかまわない。
【００４３】
以上、本発明の入浴者用運搬車を用いた入浴方法及びその装置について、その実施例に基づいて説明したが、本発明は上記実施例に記載した構成に限定されるものではなく、その趣旨を逸脱しない範囲において適宜その構成を変更することができるものである。
【００４４】
【発明の効果】
本発明の入浴者用運搬車を用いた入浴方法及びその装置によれば、入浴者をベッドに乗せた状態で運搬車を浴槽上部に移動させながら運搬車のベッドを浴槽側壁上に載置することができ、その後、ベッドのシート部を浴槽内に昇降するようにしたから簡単な作動で被介護者の入浴を介護することができる。
また、浴槽に大がかりな装置を取り付ける必要がないため、被介護者の入浴後に介護者や付添人も入浴を行うことができ、比較的設置面積の広い部屋に本件発明の浴槽を設置すれば介護者が介護作業を終えた後に施設内の別の入浴場に移動することなく入浴することができる。
【００４５】
さらに、浴槽と運搬車を相対的に昇降させる昇降機構を備えた場合、入浴者を乗せたベッドの浴槽への着座を、簡単にかつ着座時に衝撃が発生することなく行え、また、昇降機構で浴槽を昇降する場合は介護者の介護が楽な高さ位置で浴槽を固定でき、介護者の腰への負担を大幅に低減することができる等の効果を有する。
【図面の簡単な説明】
【図１】本発明の入浴装置の側面図を示す。
【図２】本発明の入浴装置の平面図を示す。
【図３】ベッドのシート部を浴槽内に降下させた状態の入浴装置の側面図を示す。
【図４】本発明の入浴装置の平面図である。
【図５】本発明の着座機構の別の実施例を説明する説明図である。
【図６】本発明の入浴装置の別の実施例を説明する説明図である。
【図７】本発明の着座機構の別の実施例を説明する説明図である。
【図８】ローラーとくらの形状を説明する一部断面図である。
【図９】本発明の入浴装置の別の実施例の平面図である。
【図１０】本発明の着座機構の別の実施例を説明する説明図である。
【図１１】本発明の着座機構の別の実施例を説明する説明図である。
【図１２】第２の発明の昇降機構を説明する説明図である。
【符号の説明】
１  入浴装置
２  浴槽
３  運搬車
４  ベッド
４ａ  シート部分
５  昇降機構
１０  着座部（着座機構）
１１  着座機構
１２ａ  ローラー（着座機構）
１２ｂ  ローラー（着座機構）
６０  入浴装置
６１  昇降機構
８０  くら（着座機構）
８０ａ  くら（着座機構）
８０ｂ  くら（着座機構）
８５  ローラー（着座機構）
【図１】
2005087221.tif 000003
【図２】
2005087221.tif 000004
【図３】
2005087221.tif 000005
【図４】
2005087221.tif 000006
【図５】
2005087221.tif 000007
【図６】
2005087221.tif 000008
【図７】
2005087221.tif 000009
【図８】
2005087221.tif 000010
【図９】
2005087221.tif 000011
【図１０】
2005087221.tif 000012
【図１１】
2005087221.tif 000013
【図１２】
2005087221.tif 000014